(57)【特許請求の範囲】
【請求項１】
外科用器具の一部として第１の構成要素を第２の構成要素に取り外し可能に結合するための取り付け機構であって、前記取り付け機構が、前記第１の構成要素上に設けられ、前記第２の構成要素上のそれぞれの取り付け要素に解放可能に係合し、前記第１及び第２の構成要素を取り外し可能に結合するように構成された第１及び第２の取り付け部材を含み、前記取り付け機構は、支点上に枢動可能に装着され、前記第１及び第２の取り付け部材が前記取り付け要素に係合されて前記第１及び第２の構成要素を共に結合する第１の位置と、前記第１及び第２の取り付け部材が前記取り付け要素から係合解除され、それによって前記第２の構成要素を前記第１の構成要素との係合から解放する第２の位置と、の間を移動可能である、一対の作動するレバーを含み、前記第１及び第２のレバーのそれぞれの一部が、前記第１及び第２のレバーを、前記第１の位置と前記第２の位置との間で枢動可能にし、前記第１及び第２のレバーに復元力を提供して、前記第１及び第２のレバーを前記第１の位置に付勢する、弾性的に変形可能な材料を含むスリーブに埋め込まれている、取り付け機構。
【請求項２】
前記スリーブが円錐台形の長手方向の断面を有する、請求項１に記載の取り付け機構。
【請求項３】
前記弾性的に変形可能な材料は、４０〜８５のショアＡ硬度を有し、１ｍｍ〜７ｍｍの厚さを伴う、請求項１又は２に記載の取り付け機構。
【請求項４】
前記弾性的に変形可能な材料は、５０〜７０のショアＡ硬度を有し、２ｍｍ〜５ｍｍの厚さを伴う、請求項３に記載の取り付け機構。
【請求項５】
前記弾性的に変形可能な材料はシリコーンである、請求項１〜４のいずれか一項に記載の取り付け機構。
【請求項６】
前記弾性的に変形可能な材料はゴムである、請求項１〜４のいずれか一項に記載の取り付け機構。
【請求項７】
前記スリーブは、前記レバーと一致するリブ付き領域を含む、請求項１〜６のいずれか一項に記載の取り付け機構。
【請求項８】
前記スリーブは、前記レバーと一致する凹部を含む、請求項１〜７のいずれか一項に記載の取り付け機構。
【請求項９】
前記第１及び第２の取り付け部材のうちの少なくとも１つは傾斜面を含み、前記傾斜面に向かって前記第２の構成要素が働き、前記第１及び第２の取り付け部材を前記第１の位置へと押圧する、請求項１〜８のいずれか一項に記載の取り付け機構。
【請求項１０】
前記レバーのそれぞれは別の支点上に装着されている、請求項１〜９のいずれか一項に記載の取り付け機構。
【請求項１１】
保護カバーが、前記スリーブに埋め込まれていない前記レバーの部分を覆う、請求項１〜１０のいずれか一項に記載の取り付け機構。
【請求項１２】
請求項１〜１１のいずれか一項に記載の取り付け機構を備える外科用器具。
【請求項１３】
前記外科用器具の前記第１及び第２の構成要素が使用中に回転する、請求項１２に記載の器具。
【発明の詳細な説明】
【技術分野】
【０００１】
本発明は、外科用器具構成要素のための取り付け機構に関する。具体的には、本発明は、外科用器具の一部として１つの構成要素を別の構成要素に解放可能に取り付けるために使用可能な取り付け機構に関する。本発明はまた、取り付け機構を備える外科用器具に関する。
【発明の概要】
【発明が解決しようとする課題】
【０００２】
外科用器具は、多くの場合、によって共に留めることができるモジュールの構成要素又は部品を有し、単純な取り付け機能によってその留めを容易に外すことができる。解放可能に取り外されることが要求されるかかる構成要素の例は、リーマドライバ上へのリーマヘッド、ドリルドライバ上へのドリルビット、及び衝撃ハンドル上への衝撃ヘッドである。いくつかの取り付け機構は、協調するノッチ又は溝に係合するピンチレバーの形態を取っているが、たとえばリーマのための取り付け機構は、人間工学的に複雑であり得る。レバーは、レバーを共につまむことによって、ノッチ又は溝から係合解除される。構成要素が静止している場合は、単純なピンチレバー取り付け機構の利用で十分である。しかしながら、構成要素の１つ又は両方が回転している場合は、アクセスが容易であるばかりでなく、偶発的に起動されるようにはならず、高速回転しているときに使用者を受傷の危険にさらすようにもならないピンチレバーを提供するのは容易ではない。これは、レバーの周囲に剛性のガードを設けることによって対処できるが、レバーの駆動を可能にするには、使用者がこれらのガードの間で押さなければならず、それは非常に困難であり得る。
【０００３】
これらの取り付け機構での更なる問題は、寛骨臼リーマドライバなどのいくつかの外科用器具では、レバーを開放位置へ付勢するために使用されるバネの存在のために、レバーの利用が、外科用器具の効果的クリーニングを困難にし得る。
【課題を解決するための手段】
【０００４】
本発明によれば、外科用器具の一部として第１の構成要素を第２の構成要素に取り外し可能に結合するための取り付け機構が提供され、取り付け機構が、第１の構成要素上に設けられ、第２の構成要素上のそれぞれの取り付け要素に解放可能に係合し、第１及び第２の構成要素を取り外し可能に結合するように構成された第１及び第２の取り付け部材を含み、取り付け機構は、支点上に枢動可能に装着され、第１及び第２の取り付け部材が取り付け要素に係合されて第１及び第２の構成要素を共に結合する第１の位置と、第１及び第２の取り付け部材が取り付け要素から係合解除され、それによって第２の構成要素を第１の構成要素との係合から解放する第２の位置と、の間を移動可能である、一対の作動するレバーを含む、取り付け機構において、第１及び第２のレバーのそれぞれの一部が、第１及び第２のレバーを、第１の位置と第２の位置との間で枢動可能にし、第１及び第２のレバーに復元力を提供して、第１及び第２のレバーを第１の位置に付勢する、弾性的に変形可能な材料を含むスリーブに埋め込まれている。
【０００５】
これは、特にたとえば回転する駆動シャフト上で使用される場合に、レバーが収納されていて、それによってレバーの端部が軟弱な組織又は別の装置に引っかかるのを防止するので、レバーを保護する利点を提供する。これはまた、潜在する外傷の危険の低下ともなる。スリーブは、スプリングなどの追加の付勢構成要素の必要性をなくし、それによって取り付け機構のクリーニングをより容易にする。より少ない構成要素しか必要としないので、それによってより簡便な組み立てと、より低い製造コストを実現する。
【０００６】
可撓性のスリーブはチューブ形状であってもよい。可撓性のスリーブは、円錐台形の長手方向断面を有してもよい。
【０００７】
第１及び第２のレバーは、第１の位置から第２の位置へ移動するように、手作業での駆動のために構成されていてもよい。手作業での駆動は、２つの指の間、又は指と母指の間の挟み動作の形態であってもよい。典型的には、この手作業での駆動は、約１０Ｎ〜約５０Ｎ、より具体的には約２０Ｎ〜約３０Ｎの力を加える必要があり得る。手作業で第２の位置へと駆動された後に、第１及び第２のレバーを第１の位置へ付勢するのに十分な復元力を提供するために、可撓性の材料は、約４０〜約８５、より望ましくは約５０〜約７０のショアＡ硬度を有し、約１ｍｍ〜約７ｍｍ、より望ましくは約２ｍｍ〜約５ｍｍの厚さを伴ってもよい。
【０００８】
弾性的に変形可能な材料はシリコーンであってもよい。代替えとして、弾性的に変形可能な材料は、ポリマー、たとえばクロロプレン、ポリクロロプレン、ニトリルゴム又はポリブタジエンなどのエラストマーを含む合成ゴム、天然ゴム、もしくは熱可塑性エラストマーであってもよい。
【０００９】
可撓性のスリーブは、レバーと一致するリブ付き領域を含んでもよい。リブ付き領域は、指先のための追加の握りを提供し、また第１及び第２のレバーの位置の視覚的表示をも提供し、これらは操作者を助けることができる。リブ付き領域は、可撓性のスリーブの凹部に設けられてもよい。
【００１０】
取り付け機構は、駆動レバーの露出した部分のための保護カバーを含んでもよい。
【００１１】
取り付け部材は、取り付け要素に係合し、第１及び第２のレバーを第２の位置へ移動させるように構成されている傾斜面を備えてもよい。
【００１２】
本発明の更なる態様によれば、本明細書で説明するように、取り付け機構を備える外科用器具が提供される。
【００１３】
ここで、本発明の実施形態を、もっぱら例示説明のために以下の添付図面を参照して説明する。
【図面の簡単な説明】
【００１４】
【図１】本発明の取り付け機構を使用した外科用器具の構成要素の側面図である。
【図２】図１の外科用器具の、図１の矢印ＩＩ−ＩＩで示される平面における断面図である。
【図３】図１に対応する概略正射影図である。
【図４Ａ】図１の外科用器具上に設けられた取り付け機構の、係合する配向にあるレバーを示す概略断面図である。
【図４Ｂ】図４Ａの矢印Ａ−Ａの方向の断面図である。
【図５Ａ】図１の外科用器具上に設けられた取り付け機構の、係合しない配向にあるレバーを示す概略断面図である。
【図５Ｂ】図５Ａの矢印Ｂ−Ｂの方向の断面図である。
【図６】図４Ａの矢印Ｃ−Ｃの方向の断面図である。
【発明を実施するための形態】
【００１５】
図１は、外科用器具の構成要素１の一部分を示す。
【００１６】
この実施形態では、構成要素１は、整形外科手術のためのリーマの一部であってもよく、回転駆動装置に連結される細長いシャフト２を含む。しかしながら、構成要素１は、別の構成要素又は部品に取り外し可能に連結される必要がある任意の外科用器具の任意の構成要素又は部品でもよいことが当業者には理解されるであろう。その点については、細長いシャフト２が、第１の端部２ａにて第２の構成要素３に連結されるように構成されている。ハンドル５が設けられる。
【００１７】
細長いシャフト２は、第１の端部２ａに、第２の構成要素３上に設けられた取り付け要素７によって第２の構成要素３に細長いシャフト２を取り付けるための取り付け機構６を有する。第２の構成要素３の取り付け要素７はしたがって、以下により詳細に説明されるように、構成要素１の取り付け機構６に係合するために構成されている。
【００１８】
本明細書で説明する実施形態では、第２の構成要素３上の取り付け要素７は、第２の構成要素３の細長いシャフト１７の横方向に延在するリップ又はフランジ８を備える。
【００１９】
取り付け要素７の多様な形状及び構成が可能であり、本明細書で説明する実施形態は単なる例であることが理解されるであろう。
【００２０】
取り付け機構６は、支点として働くピン４上に枢動可能に装着された一対のレバー９ａ、９ｂを含む。代替え方法として、それぞれのレバー９ａ、９ｂは、離間して実質的に互いに平行に配置された別のピン上に装着されてもよい。
【００２１】
ピン４は、細長いシャフト２の長手方向の軸線Ｘに直交する方向に、細長いシャフト２を貫通して幅方向に延在する第１の穴２２内に、細長いシャフト２の端部近くで装着されている。
【００２２】
レバー９ａ、９ｂはそれぞれ、ピン４への取り付けのための、中心に位置する突出部１５ａ、１５ｂを伴う平坦なアームの形状である。それぞれの突出部１５ａ、１５ｂは、ピン４がそれを貫通して保持される開口２３ａ、２３ｂを有する。突出部１５ａ、１５ｂは、細長いシャフト２の第１の穴２２及び長手方向の軸線Ｘに直交する方向に、同じく細長いシャフト２を貫通して幅方向に延在する第２の穴２４内に保持されている。これを図６に示す。このようにして、レバー９ａ、９ｂは、細長いシャフト２上に保持され、またピン４の周りの回転のために構成されている。
【００２３】
それぞれのレバー９ａ、９ｂは、レバー９ａ、９ｂの第１の端部１２ａ、１２ｂにおいて内側に面するリップ又はフランジ形状の取り付け部材１１ａ、１１ｂを有する。
【００２４】
それぞれのレバー９ａ、９ｂの反対側の第２の端部１３ａ、１３ｂは、オーバーモールドによってレバー９ａ、９ｂとの接着／凝集結合及び密封シールを形成し、中空の可撓性のスリーブ１４内に埋め込まれる。
【００２５】
可撓性のスリーブは、円錐台形の長手方向断面を伴うチューブ状である。可撓性のスリーブ１４の内部は、シャフト２の端部の部分を囲む凹部１６を画定する。可撓性のスリーブ１４は、ショアＡ硬度が約４０〜約８５、更に望ましくは約５０〜約７０を伴い、厚さｔが約１ｍｍ〜約７ｍｍ、更に望ましくは約２ｍｍ〜約５ｍｍを伴う弾性的に変形可能な材料から作られる。
【００２６】
この実施形態では、スリーブ１４のために使用される弾性的に変形可能な材料はシリコーンであってもよい。代替えとして、弾性的に変形可能な材料は、ポリマー、たとえばクロロプレン、ポリクロロプレン、ニトリルゴム又はポリブタジエンなどのエラストマーを含む合成ゴム、天然ゴム、もしくは熱可塑性エラストマーであってもよい。
【００２７】
一対の保護カバー１０ａ、１０ｂが、レバー９ａ、９ｂの露出した部分、すなわち可撓性のスリーブ１４内に収められていないこれらの部分の周りに設けられている。保護カバー１０ａ、１０ｂは、開口２１ａ、２１ｂを画定し、レバー９ａ、９ｂへのクリーニングのためのアクセスを可能としている。保護カバー１０ａ、１０ｂはまた、細長いシャフト２が回転してレバー９ａ、９ｂが回るときに、レバー９ａ、９ｂが周辺組織に引っかかるのを防止する。保護カバー１０ａ、１０ｂは、細長いシャフト２の一部を形成し、また同一の材料から作られる。
【００２８】
構成要素１を取り外し可能に第２の構成要素３に連結するために、取り付け部材１１ａ、１１ｂは、レバー９ａ、９ｂが第１の位置にあるとき、第２の構成要素３の細長いシャフト１７の横方向に延在するリップ又はフランジ８に係合するように構成されている。
【００２９】
変形可能な材料は弾力性なので、可撓性のスリーブ１４は広がって非変形形状に付勢され、変形されると、手作業による圧力が加わらなければ、その非変形構成に戻る十分な復元力を提供することになる。
【００３０】
したがって、レバー９ａ、９ｂは、可撓性で弾力性のスリーブ１４の働きによって第１の位置に付勢される。
【００３１】
レバー９ａ、９ｂは、ピン４上で枢動するように構成され、レバー９ａ、９ｂの第１の端部１２ａ、１２ｂを、図５の両矢印で示されるように、離れるように及び合わせるように移動させる。第１の端部１２ａ、１２ｂが離されているとき、レバー９ａ、９ｂは第２の位置にある。第２の位置では、取り付け部材１１ａ、１１ｂは、リップ又はフランジ８から係合解除され、したがって第２の構成要素３が構成要素１から取り外されることを可能とする。
【００３２】
レバー９ａ、９ｂを第２の位置に移動させるには、指と母指で挟む動作を使って第２の端部１３ａ、１３ｂを共に押し込む（squeezing）ことによってレバー９ａ、９ｂが手作業で駆動される。
【００３３】
図４Ａは、第１の位置にあるレバー９ａ、９ｂを示し、一方図５Ａは、第２の開放位置にあるレバーを示す。
【００３４】
このように、第２の構成要素３を構成要素１に取り付けるには、第２の端部１３ａ、１３ｂを共に押し込むことによってレバー９ａ、９ｂが手作業で第２の位置に駆動され、第２の構成要素３の細長いシャフト１７上の取り付け要素７を、レバー９ａ、９ｂの間に挿入する。図５Ｂの矢印Ｙは、この押し込み動作の方向を示す。次にレバー９ａ、９ｂの第２の端部１３ａ、１３ｂが解放され、レバー９ａ、９ｂの第１の端部１２ａ、１２ｂに、共に移動することを可能にさせ、その結果、取り付け部材１１ａ、１１ｂが、第２の構成要素３のリップ又はフランジ８との係合へと移動し、それによって２つの構成要素１、３を共に連結してロックする。
【００３５】
代替え方法として、レバー９ａ、９ｂの手作業での駆動を使用せずに、取り付け要素７が、レバー９ａ、９ｂの取り付け部材１１ａ、１１ｂに向かって軸線方向に押圧され、第１の端部１２ａ、１２ｂを押して離間させてもよい。これを容易にするために、取り付け部材１１ａ、１１ｂは傾斜面２０ａ、２０ｂを有し、その傾斜面２０ａ、２０ｂに向かって部材７が働いて第１の端部１２ａ、１２ｂを押して離間させる。
【００３６】
次に、レバー９ａ、９ｂの第１の位置への付勢が、２つの構成要素１，３を共にロックすることになる。
【００３７】
２つの構成要素１、３を係合解除するためには、第２の端部１３ａ、１３ｂが共につままれ、したがって、第１の端部１２ａ、１２ｂを動かして離間させ、それによって取り付け部材１１ａ、１１ｂを、取り付け部材７のリップ又はフランジ８から係合解除する。次に第２の構成要素３を取り外すことができる。
【００３８】
レバー９ａ、９ｂの手作業による駆動を補助するために、可撓性のスリーブ１４は、２つの第２の端部１３ａ、１３ｂが取り囲まれる領域に、２つの湾曲した凹部１８，１９を含む。これらの凹部１８、１９は、指先の収容を助け、リブ付き領域を有して追加の握りを提供する。これらの凹部１８、１９は、レバー９ａ、９ｂの位置の視覚的表示を提供して更に役立つ。
【００３９】
〔実施の態様〕
（１）  外科用器具の一部として第１の構成要素を第２の構成要素に取り外し可能に結合するための取り付け機構であって、前記取り付け機構が、前記第１の構成要素上に設けられ、前記第２の構成要素上のそれぞれの取り付け要素に解放可能に係合し、前記第１及び第２の構成要素を取り外し可能に結合するように構成された第１及び第２の取り付け部材を含み、前記取り付け機構は、支点上に枢動可能に装着され、前記第１及び第２の取り付け部材が前記取り付け要素に係合されて前記第１及び第２の構成要素を共に結合する第１の位置と、前記第１及び第２の取り付け部材が前記取り付け要素から係合解除され、それによって前記第２の構成要素を前記第１の構成要素との係合から解放する第２の位置と、の間を移動可能である、一対の作動するレバーを含み、前記第１及び第２のレバーのそれぞれの一部が、前記第１及び第２のレバーを、前記第１の位置と前記第２の位置との間で枢動可能にし、前記第１及び第２のレバーに復元力を提供して、前記第１及び第２のレバーを前記第１の位置に付勢する、弾性的に変形可能な材料を含むスリーブに埋め込まれている、取り付け機構。
（２）  前記スリーブが円錐台形の長手方向の断面を有する、実施態様１に記載の取り付け機構。
（３）  前記弾性的に変形可能な材料は、約４０〜約８５のショアＡ硬度を有し、約１ｍｍ〜約７ｍｍの厚さを伴う、実施態様１又は２に記載の取り付け機構。
（４）  前記弾性的に変形可能な材料は、約５０〜約７０のショアＡ硬度を有し、約２ｍｍ〜約５ｍｍの厚さを伴う、実施態様３に記載の取り付け機構。
（５）  前記弾性的に変形可能な材料はシリコーンである、実施態様１〜４のいずれかに記載の取り付け機構。
【００４０】
（６）  前記弾性的に変形可能な材料はゴムである、実施態様１〜４のいずれかに記載の取り付け機構。
（７）  前記スリーブは、前記レバーと一致するリブ付き領域を含む、実施態様１〜６のいずれかに記載の取り付け機構。
（８）  前記スリーブは、前記レバーと一致する凹部を含む、実施態様１〜７のいずれかに記載の取り付け機構。
（９）  前記第１及び第２の取り付け部材のうちの少なくとも１つは傾斜面を含み、前記傾斜面に向かって前記第２の構成要素が働き、前記第１及び第２の取り付け部材を前記第１の位置へと押圧する、実施態様１〜８のいずれかに記載の取り付け機構。
（１０）  前記レバーのそれぞれは別の支点上に装着されている、実施態様１〜９のいずれかに記載の取り付け機構。
【００４１】
（１１）  保護カバーが、前記スリーブに埋め込まれていない前記レバーの部分を覆う、実施態様１〜１０のいずれかに記載の取り付け機構。
（１２）  実施態様１〜１１のいずれかに記載の取り付け機構を備える外科用器具。
（１３）  前記外科用器具の前記第１及び第２の構成要素が使用中に回転する、実施態様１２に記載の器具。
【図１】
0006698687.tif 000002
【図２】
0006698687.tif 000003
【図３】
0006698687.tif 000004
【図４Ａ】
0006698687.tif 000005
【図４Ｂ】
0006698687.tif 000006
【図５Ａ】
0006698687.tif 000007
【図５Ｂ】
0006698687.tif 000008
【図６】
0006698687.tif 000009